(57)【要約】【課題】カッターケースからの切断駆動軸や受刃回転軸の取り外し作業を簡便に行うことが可能な排ワラ切断装置を提供する。【解決手段】カッターケース５０の左右両側壁部に、切断駆動軸又は受刃回転軸の少なくとも一方を挿通可能な切り欠き溝部５７Ｌが、左右両側壁部５０Ｌの側壁面に沿って形成され、切り欠き溝部５７Ｌは、切断駆動軸又は受刃回転軸の軸支部材による軸支箇所から、側壁面の端縁にわたって形成され、軸支箇所から側壁面の端縁にわたる切り欠き溝部５７Ｌの延長方向と交差する方向のカッターケース５０の壁部が、開放可能に構成され、又は開放されている。【選択図】図５
2018099069.tif 000002
【特許請求の範囲】
【請求項１】
脱穀装置の後側に、駆動カッター部及び受刃カッター部を内装するカッターケースが備えられ、
前記駆動カッター部に、駆動力が伝達される切断駆動軸と、その切断駆動軸に装着された多数の切断刃と、が備えられ、
前記受刃カッター部に、前記切断駆動軸に並設された受刃回転軸と、その受刃回転軸に装着された多数の受刃と、が備えられ、
前記カッターケースの左右両側壁部に、前記切断駆動軸の端部を支持する軸支部材、及び前記受刃回転軸の端部を支持する軸支部材が設けられ、
前記左右両側壁部に、前記切断駆動軸又は前記受刃回転軸の少なくとも一方を挿通可能な切り欠き溝部が、前記左右両側壁部の側壁面に沿って形成され、
前記切り欠き溝部は、前記切断駆動軸又は前記受刃回転軸の前記軸支部材による軸支箇所から、前記側壁面の端縁にわたって形成され、
前記軸支箇所から前記側壁面の端縁にわたる前記切り欠き溝部の延長方向と交差する方向の前記カッターケースの壁部が、開放可能に構成され、又は開放されている排ワラ切断装置。
【請求項２】
前記切り欠き溝部の延長方向と交差する方向の前記カッターケースの壁部は、水平方向に沿う軸心回りで揺動開閉可能に構成されている請求項１記載の排ワラ切断装置。
【請求項３】
前記切り欠き溝部の延長方向と交差する方向の前記カッターケースの壁部は、前記カッターケースの後壁部である請求項１又は２記載の排ワラ切断装置。
【請求項４】
前記左右両側壁部には、前記切り欠き溝部内に位置する前記切断駆動軸又は前記受刃回転軸の、前記切り欠き溝部の延設方向に沿う方向での移動を規制する規制部材が設けられ、
前記規制部材が、前記切り欠き溝部内に位置する前記切断駆動軸又は前記受刃回転軸を支持する前記軸支部材に対して、前記切り欠き溝部の開放端側から当接する位置で、かつ前記切り欠き溝部を跨いで設けられている請求項１〜３のいずれか一項記載の排ワラ切断装置。
【請求項５】
前記規制部材は、前記カッターケースの後壁部に連結固定され、かつ、前記切り欠き溝部を跨いで当該切り欠き溝部の両側で、前記左右両側壁部にも連結固定可能に構成されている請求項４記載の排ワラ切断装置。
【請求項６】
前記切り欠き溝部に、前記軸支箇所から前記側壁面の端縁に至る延設範囲において、前記軸支箇所を起点として、その軸支箇所から離れるほど下降する下り傾斜経路部分と、前記下り傾斜経路部分から前記側壁面の端縁に近づくほど上昇する上り傾斜経路部分とが備えられている請求項１〜５のいずれか一項記載の排ワラ切断装置。
【請求項７】
前記左右両側壁部に設けられる前記切り欠き溝部は、左右で異なる形状に形成されている請求項１〜６のいずれか一項記載の排ワラ切断装置。
【発明の詳細な説明】
【技術分野】
【０００１】
本発明は、脱穀装置の後側に備えたカッターケースに、駆動カッター部及び受刃カッター部を内装してある排ワラ切断装置に関する。
【背景技術】
【０００２】
この種の排ワラ切断装置としては、駆動カッター部の切断駆動軸や、受刃カッター部の受刃回転軸が、カッターケースの左右両側壁部を貫通した状態で、その左右両側壁部に支持されたものが知られている（特許文献１参照）。
【先行技術文献】
【特許文献】
【０００３】
【特許文献１】特開２０１０−９９０２７号公報（段落「００２１」、及び図５、図８参照）
【発明の概要】
【発明が解決しようとする課題】
【０００４】
排ワラ切断装置においては、切断長の変更や、メンテナンス作業等を行うために、切断駆動軸や受刃回転軸をカッターケースから取り外す必要がある。
しかしながら、上記の従来構造のものでは、カッターケースの左右両側壁部から軸支部材や切断駆動軸、あるいは受刃回転軸を取り外す際、多大な手数を要する傾向がある。
つまり、カッターケースの左右両側壁部から、切断駆動軸や受刃回転軸を取り外す際には、切断駆動軸や受刃回転軸から軸支部材を取り外し、切断駆動軸と受刃回転軸との間隔を広げて刃体同士の接触を避けながら、軸線方向にスライド操作して片方ずつ慎重に取り外すものである。このため、カッターケースの左右両側壁部に対する切断駆動軸や受刃回転軸の脱着に、何人かの人手と時間を要する煩雑な作業が必要であった。
【０００５】
本発明は、カッターケースからの切断駆動軸や受刃回転軸の取り外し作業を簡便に行うことが可能な排ワラ切断装置を提供しようとするものである。
【課題を解決するための手段】
【０００６】
本発明における排ワラ切断装置の特徴は、脱穀装置の後側に、駆動カッター部及び受刃カッター部を内装するカッターケースが備えられ、前記駆動カッター部に、駆動力が伝達される切断駆動軸と、その切断駆動軸に装着された多数の切断刃と、が備えられ、前記受刃カッター部に、前記切断駆動軸に並設された受刃回転軸と、その受刃回転軸に装着された多数の受刃と、が備えられ、前記カッターケースの左右両側壁部に、前記切断駆動軸の端部を支持する軸支部材、及び前記受刃回転軸の端部を支持する軸支部材が設けられ、前記左右両側壁部に、前記切断駆動軸又は前記受刃回転軸の少なくとも一方を挿通可能な切り欠き溝部が、前記左右両側壁部の側壁面に沿って形成され、前記切り欠き溝部は、前記切断駆動軸又は前記受刃回転軸の前記軸支部材による軸支箇所から、前記側壁面の端縁にわたって形成され、前記軸支箇所から前記側壁面の端縁にわたる前記切り欠き溝部の延長方向と交差する方向の前記カッターケースの壁部が、開放可能に構成され、又は開放されているということである。
【０００７】
本発明によれば、カッターケースの左右両側壁部の側壁面に、切断駆動軸又は受刃回転軸の少なくとも一方を挿通可能な切り欠き溝部が、切断駆動軸又は受刃回転軸の軸支箇所から、前記側壁面の端縁にわたって形成されている。そして、切り欠き溝部の延長方向と交差する方向のカッターケースの壁部が、開放可能に構成され、又は開放されている。
したがって、カッターケースの左右両側壁部に対して、切断駆動軸や受刃回転軸を支持する軸支部材の連結を解除すれば、切断駆動軸や受刃回転軸を、切り欠き溝部に沿って移動させ、その切り欠き溝部の延長方向と交差する方向のカッターケースの壁部から取り外すことができる。
これにより、多くの切断刃や受刃が装備された駆動カッター部及び受刃カッター部を、互いに離間する方向へ移動させた後、それぞれの軸線方向に移動させながら取り外す、あるいは装着するというような脱着操作を行う場合に比べ、比較的簡単な操作で容易に脱着し易いという利点がある。
【０００８】
本発明においては、前記切り欠き溝部の延長方向と交差する方向の前記カッターケースの壁部は、水平方向に沿う軸心回りで揺動開閉可能に構成されていると好適である。
【０００９】
本発明によれば、脱着に便利な切り欠き溝を備えながら、カッターケース内部を閉塞した状態とすることができる。しかも、壁部は水平方向に沿う軸心回りで揺動開閉可能に構成されているので、例えば上下方向に沿う軸心回りで揺動開閉可能な壁部を採用した場合に比べ、壁部の揺動作動後の姿勢を安定的に維持し易い。
すなわち、水平方向に沿う軸心回りで揺動開閉した壁部には、揺動作動後の壁部に壁部自身の重量が作用する。したがって、上下方向に沿う軸心回りで揺動開閉可能な壁部のように、揺動作動後にも揺れ動く虞が少なく、揺動作動後の壁部の姿勢は安定し易い。
【００１０】
本発明においては、前記切り欠き溝部の延長方向と交差する方向の前記カッターケースの壁部は、前記カッターケースの後壁部であると好適である。
【００１１】
本発明によれば、カッターケースの壁部が、前記カッターケースの後壁部であるので、カッターケースの後方側の広い空間を利用して、切断駆動軸や受刃回転軸の脱着を行い易くすることができる。
【００１２】
本発明においては、前記左右両側壁部には、前記切り欠き溝部内に位置する前記切断駆動軸又は前記受刃回転軸の、前記切り欠き溝部の延設方向に沿う方向での移動を規制する規制部材が設けられ、
前記規制部材が、前記切り欠き溝部内に位置する前記切断駆動軸又は前記受刃回転軸を支持する前記軸支部材に対して、前記切り欠き溝部の開放端側から当接する位置で、かつ前記切り欠き溝部を跨いで設けられていると好適である。
【００１３】
本発明によれば、切断駆動軸又は受刃回転軸の、切り欠き溝部の延設方向に沿う方向での移動を規制する規制部材が、軸支部材に対して、切り欠き溝部の開放端側から当接する位置で、かつ切り欠き溝部を跨いで設けられているので、切断駆動軸又は受刃回転軸の、切り欠き溝部の延設方向に沿う方向での移動を確実に規制することができる。
【００１４】
本発明においては、前記規制部材は、前記カッターケースの後壁部に連結固定され、かつ、前記切り欠き溝部を跨いで当該切り欠き溝部の両側で、前記左右両側壁部にも連結固定可能に構成されていると好適である。
【００１５】
本発明によれば、規制部材は、前記カッターケースの後壁部に連結固定されているので、カッターケースの後壁部を、所定位置に装着するだけで、規制部材も所定位置に装着することができる。
しかも、規制部材は、切り欠き溝部を跨いで当該切り欠き溝部の両側で、左右両側壁部に連結固定可能に構成されている。これにより、溝部を跨ぐ規制部材で切り欠き溝部の両側の側壁部同士を連結した状態とすることができる。したがって、規制部材は、本来の位置規制の機能に加えて、切り欠き溝部の両側に位置する側壁部同士を連結して補強する手段としても機能する。
【００１６】
本発明においては、前記切り欠き溝部に、前記軸支箇所から前記側壁面の端縁に至る延設範囲において、前記軸支箇所を起点として、その軸支箇所から離れるほど下降する下り傾斜経路部分と、前記下り傾斜経路部分から前記側壁面の端縁に近づくほど上昇する上り傾斜経路部分とが備えられていると好適である。
【００１７】
本発明によれば、切り欠き溝部に、下り傾斜経路部分と上り傾斜経路部分とが備えられているので、軸支箇所での支持を解除した切断駆動軸又は受刃回転軸を、軸支箇所から離れる方向に容易に移動させ易い。また、下り傾斜経路部分と上り傾斜経路部分との境目に相当する位置で、切断駆動軸又は受刃回転軸を一時的に安定した状態に維持し易いので、その位置に一時的に維持しておいて、取り外しや装着の準備を整えてから脱着することができる。
【００１８】
本発明においては、前記左右両側壁部に設けられる前記切り欠き溝部は、左右で異なる形状に形成されていると好適である。
【００１９】
本発明によれば、切り欠き溝部は、左右で異なる形状に形成されているので、例えば切断駆動軸又は受刃回転軸の軸線方向での一方側と他方側とで、切り欠き溝部の幅や高さを、片方ずつの作業を行い易いように異ならせて構成することもできる。
【図面の簡単な説明】
【００２０】
【図１】コンバインの全体を示す側面図である。
【図２】コンバインの全体を示す平面図である。
【図３】脱穀装置を示す縦断側面図である。
【図４】排ワラ切断装置における後壁部側を開放した状態の背面図である。
【図５】図４のV-V線箇所における断面での説明図である。
【図６】図４のVI-VI線箇所において後壁部を閉塞状態とした断面図である。
【図７】排ワラ切断装置におけるモータカバーを切り欠いた状態の右側面図である。
【発明を実施するための形態】
【００２１】
以下、本発明の実施の形態の一例を図面の記載に基づいて説明する。
尚、本実施形態での説明における前後方向及び左右方向は、特段の説明がない限り、次のように記載している。つまり、本発明を適用した自脱型コンバインの作業走行時における前進側の進行方向（図１における矢印Ｆ参照）が「前」、後進側への進行方向（図１における矢印Ｂ参照）が「後」、その前後方向での前向き姿勢を基準としての右側に相当する方向（図２における矢印Ｒ参照）が「右」、同様に左側に相当する方向（図２における矢印Ｌ参照）が「左」である。
【００２２】
〔コンバインの全体構成〕
図１は、本発明に係る排ワラ切断装置５が適用された自脱型コンバインを示す側面図、図２は同平面図である。
これらの図１，２に示すように、コンバインは、機体フレーム１０が左右一対のクローラ式走行装置１１上に搭載されている。機体フレーム１０上には、運転座席や操縦搭をキャビン内に装備した運転部１２、及び前記運転部１２の下方にエンジン１３を位置させた原動部１４が備えられている。上記のエンジン１３の駆動力がクローラ式走行装置１１に伝達されることによって、自走可能な走行機体１が構成されている。
さらに、前記機体フレーム１０の前部には刈取前処理装置２を連結してあり、前記機体フレーム１０上で前記原動部１４の後側に、脱穀装置３、及びグレンタンク１５を設け、前記脱穀装置３の後部に排ワラ処理装置４を設けて、稲、麦などを収穫するコンバインが構成されている。
【００２３】
刈取前処理装置２は、刈刃２１や引起し装置２２を支持する前処理部フレーム２０と、機体フレーム１０とにわたって設けたリフトシリンダ１７の伸縮作動により、機体フレーム１０に対して上下に揺動作動可能に構成されている。
リフトシリンダ１７を収縮させて、刈取前処理装置２を下降作業状態にして走行機体１を走行させると、刈取前処理装置２は、刈り取り対象の植立穀稈を引起し装置２２よって引起し処理しながらバリカン型の刈刃２１によって刈取り処理し、刈取穀稈を機体後方向きに搬送して脱穀装置３の脱穀フィードチェーン３３に供給するように構成してある。リフトシリンダ１７を伸長させて刈取前処理装置２を持ち上げると、刈刃２１や引起し装置２２が地面上から高く上昇した上昇非作業状態となる。
【００２４】
脱穀装置３は、扱室を構成する脱穀ケース３０内で回動する扱胴３１や揺動して比重選別を行う揺動選別装置３２を備えるとともに、脱穀ケース３０の外側で刈取穀稈の株元側を挟持搬送する脱穀フィードチェーン３３を備えている。
脱穀フィードチェーン３３で株元側を挟持搬送される刈取穀稈の穂先側が脱穀ケース３０内で脱穀処理され、脱穀された被処理物のうち、回収対象の脱穀粒は、揺動選別装置３２で選別されてグレンタンク１５に供給され、排出オーガ１６から機外に取り出される。その他のワラ屑等の塵埃は脱穀装置３の終端部から機外へ排出される。
【００２５】
脱穀フィードチェーン３３で挟持搬送される刈取穀稈は、脱穀処理後に脱穀フィードチェーン３３の搬送終端から排ワラ処理装置４へ供給される。排ワラ処理装置４では、脱穀フィードチェーン３３の搬送終端から受け継いだ排ワラを、後方斜め右方向に搬送し、その搬送終端から下方の排ワラ切断装置５に落下供給する。
排ワラ切断装置５では、供給された排ワラを、細断して下方へ落下放出する、もしくは、細断せずに長ワラのまま後方から放出する状態、の何れかに処理形態を変更して放出することができる。
【００２６】
〔脱穀装置の構造〕
図３は、脱穀装置３を示す縦断側面図である。この図に示すように、脱穀装置３は、脱穀ケース３０内の上部で扱胴３１を備えた脱穀部３Ａと、脱穀ケース３０内の下部で揺動選別装置３２を有した選別部３Ｂとを備えている。
【００２７】
脱穀部３Ａでは、刈取前処理装置２から供給されてくる刈取穀稈の株元側を脱穀フィードチェーン３３によって挟持して、脱穀ケース３０の後方に向けて搬送しながら脱穀処理を行う。挟持搬送される刈取穀稈の穂先側が脱穀ケース３０内で回動する扱胴３１と受網３４によって脱穀処理され、脱穀粒は受網３４を通過して落下し、脱穀処理された排ワラは引き続いて脱穀フィードチェーン３３の搬送終端側へ搬送される。
【００２８】
選別部３Ｂでは、受網３４から落下した脱穀粒などの処理物を、揺動選別装置３２で受け止めて選別処理を行う。この揺動選別装置３２の揺動作動による比重選別と、唐箕３５から後方向きに供給される選別風での風選作用とによって、脱穀粒と塵埃とに選別される。選別部３Ｂでは、揺動選別装置３２で処理された一番処理物を一番スクリューコンベヤ３６で回収可能な位置に落下させ、二番処理物を二番スクリューコンベヤ３７で回収可能な位置に落下させる。
選別部３Ｂで発生した塵埃は、揺動選別装置３２の揺動作動と唐箕３５の送風、及び排塵ファン３８の吸引排出によって、脱穀ケース３０の後部に設けられた排塵口３０ａから脱穀ケース３０の後方側へ排出される。
【００２９】
〔排ワラ処理装置〕
脱穀装置３の後方側には排ワラ処理装置４が備えられている。
この排ワラ処理装置４は、図３及び図５に示すように、脱穀フィードチェーン３３から受け継いだ排ワラを、後方の排ワラ切断装置５に向けて搬送供給する排ワラ搬送装置４０と、排ワラ切断装置５と、これらの排ワラ搬送装置４０及び排ワラ切断装置５の上方側を覆う上部カバー４３とを備えている。
【００３０】
排ワラ搬送装置４０は、無端回動搬送チェーン４１、及びその無端回動搬送チェーン４１の下方に沿って位置させた挟持搬送レール４２を備えている。この排ワラ搬送装置４０が、図２及び図３に示すように脱穀フィードチェーン３３の搬送終端部から、脱穀ケース３０の後方側に位置する上部カバー４３の下側空間にわたって配設されている。
つまり、排ワラ搬送装置４０は、前半部が脱穀ケース３０の内部に侵入した状態で配設され、搬送始端側が脱穀フィードチェーン３３の搬送終端部の横側方付近に位置している。排ワラ搬送装置４０の後半部は、脱穀ケース３０の後端部上方側箇所に形成された搬出口３０ｂを通して、さらに後方側へ延設され、搬送終端部が排ワラ処理装置４の上部カバー４３の下側空間で、排ワラ切断装置５の上方に位置している。
【００３１】
上記の排ワラ搬送装置４０によって、脱穀フィードチェーン３３の搬送終端部から排ワラを受け継ぎ、排ワラ搬出用の搬出口３０ｂを通して、後方側の排ワラ処理装置４側へ排ワラを挟持搬送する。
この排ワラ搬送装置４０では、脱穀フィードチェーン３３の搬送終端から受け継いだ脱穀排ワラの株元側を、無端回動搬送チェーン４１と挟持搬送レール４２とによって挟持し、図２に示すように稈身方向での全長が排ワラ処理装置４の内部に引き込まれるように、後方斜め右方向に搬送し、その搬送終端から下方の排ワラ切断装置５へ落下供給する。
【００３２】
上部カバー４３は、脱穀ケース３０の天井壁３０Ａの後端部から、その天井壁３０Ａの後方側への延長方向に沿う上面板４４と、排ワラ搬送装置４０の後端よりも後方側位置で、排ワラ搬送装置４０を後方側から遮蔽する後面板４５とを備えている。
【００３３】
〔排ワラ切断装置〕
図３乃至図５に示すように、排ワラ切断装置５は、脱穀装置３の機体後部に連結されたカッターケース５０を備えるとともに、カッターケース５０の内部に、駆動カッター部６Ａと受刃カッター部６Ｂとを回転自在に備えたものである。
駆動カッター部６Ａは、駆動力が伝達される切断駆動軸６０と、その切断駆動軸６０に装着された多数の切断刃６０ａと、を備えている。受刃カッター部６Ｂは、前記切断駆動軸６０に並設された受刃回転軸６１と、その受刃回転軸６１に装着された多数の受刃６１ａとを備えている。
切断駆動軸６０と受刃回転軸６１とは、側面視で切断刃６０ａの一部と受刃６１ａの一部とが、部分的に重複した状態となるように、互いの軸間距離を設定して並設されている。
【００３４】
切断駆動軸６０の左右両側の軸端部は、ボールベアリング等を備えた軸支部材６２，６２によって支持されている。軸支部材６２，６２は、図示しない連結ボルトによって、カッターケース５０の右側の側壁部５０Ｒと左側の側壁部５０Ｌとに、着脱可能に連結固定されている。
この左右の軸支部材６２，６２に支持させることによって、切断駆動軸６０の両端部がカッターケース５０の右側の側壁部５０Ｒと左側の側壁部５０Ｌとにわたって架設された状態に支持される。
受刃回転軸６１の左右両側の軸端部も、ボールベアリング等を備えた軸支部材（図示せず）によって支持されている。この両端部の軸支部材を介して、受刃回転軸６１がカッターケース５０の右側の側壁部５０Ｒと左側の側壁部５０Ｌとにわたって架設された状態で支持されている。
【００３５】
カッターケース５０は、上記の左右両側の側壁部５０Ｌ，５０Ｒの他に、その左右両側の側壁部５０Ｌ，５０Ｒの前方側に連設された前壁部５０Ｆを備えている。そして、左右両側の側壁部５０Ｌ，５０Ｒの後方側には、カッターケース５０の下端側に相当する位置で、水平方向に沿う下部揺動軸心ｘ１の回りで揺動開閉可能に構成された後部カバー部材５１（後壁部に相当する）が設けられている。
また、左右両側の側壁部５０Ｌ，５０Ｒの上側には、排ワラ搬送装置４０から落下供給される排ワラを受け入れ可能な起立姿勢ａ１と、排ワラ搬送装置４０から落下供給される排ワラを機体後方側へ流下排出させる閉塞姿勢ａ２と、に姿勢切換可能に構成された開閉カバー５２が備えられている。
【００３６】
開閉カバー５２は、カッターケース５０の後部位置で、左右両側の側壁部５０Ｌ，５０Ｒの上部にわたる水平方向の上部揺動軸心ｘ２（横向き軸心に相当する）の回りで揺動開閉可能に構成されている。
左右両側の側壁部５０Ｌ，５０Ｒは、その上縁が後下がりの傾斜縁に形成されており、開閉カバー５２は、その閉塞姿勢ａ２で左右両側の側壁部５０Ｌ，５０Ｒの後下がりの傾斜縁に沿った後傾姿勢となる。
したがって、開閉カバー５２がカッターケース５０の上方側を閉じる閉塞姿勢ａ２では、排ワラ搬送装置４０の搬送終端から落下供給される排ワラが、排ワラ切断装置５には供給されずに、開閉カバー５２の上面の傾斜に沿って後方側へ流下案内されることになる。
【００３７】
開閉カバー５２がカッターケース５０の上方側を開放する起立姿勢ａ１では、排ワラ搬送装置４０の搬送終端から落下供給される排ワラが、排ワラ切断装置５に供給され、駆動カッター部６Ａ及び受刃カッター部６Ｂで細断処理され、下方の圃場へ排出される。
カッターケース５０の下端縁よりも下方側には、細断排ワラの飛散を抑制する落下案内用のスカート部材５３が垂設されている。
【００３８】
開閉カバー５２の支持軸５４には、図７に示すように、揺動アーム５４ａが連設されている。揺動アーム５４ａは、リンク部材やセクトギヤ等で構成される連係機構５５を介して、モータカバー５６Ａに内装された駆動モータ５６に連結されている。この駆動モータ５６を動力源として、開閉カバー５２の揺動作動が行われる。
そして、駆動モータ５６の作動を制御する制御装置（図示せず）が運転部１２に備えられており、制御装置からの動作指令に応答して、駆動モータ５６が開閉カバー５２の姿勢を変更するように構成されている。
【００３９】
この実施形態では、開閉カバー５２の姿勢は、図５及び図７に実線で示すように、カッターケース５０の上方側を開放する起立姿勢ａ１と、同図に仮想線で示されるカッターケース５０の上方側を閉じる閉塞姿勢ａ２と、その中間に位置する中間姿勢ａ３と、の三形態である。したがって、制御装置から上記三形態のうちの何れかの姿勢への動作指令が出力されるに伴い、駆動モータ５６が作動され、開閉カバー５２の姿勢が、指令された姿勢となるように切換操作される。
【００４０】
開閉カバー５２の姿勢のうち、上記の中間姿勢ａ３を選択した場合には、排ワラ搬送装置４０からの排ワラ供給量が少ないときに、駆動カッター部６Ａと受刃カッター部６Ｂとによる切断開始箇所へ排ワラを集中的に案内し易くなる。また、切断対象が麦などの比較的軽量なものである場合に、その排ワラが切断箇所から逃げ出すことを抑制し易くなる。
【００４１】
図４に示すように、切断駆動軸６０の一端部には、脱穀装置３の動力伝達系を経て、エンジン１３の動力を入力するための動力伝達用の割プーリ６３が備えられている。
この割プーリ６３に巻回された伝動ベルト６４には、変速用テンションプーリ６５が当接されている。前記伝動ベルト６４に対する変速用テンションプーリ６５の圧接力を変更することで、割プーリ６３におけるベルト巻回径を変更し、切断駆動軸６０の回転数を変更できるように構成されている。
変速用テンションプーリ６５は、適宜連係機構を介して、運転部１２に備えた変速操作具（図示せず）に連係され、人為的に変速操作可能に構成されている。
【００４２】
〔軸の脱着構造〕
図５乃至図７に示すように、カッターケース５０の左右両側の側壁部５０Ｌ，５０Ｒには、それぞれの側壁部５０Ｌ，５０Ｒの側壁面に沿って切り欠き溝部５７Ｌ，５７Ｒが形成されている。
この切り欠き溝部５７Ｌ，５７Ｒは、軸支部材６２による切断駆動軸６０の軸支箇所から、カッターケース５０の左右両側の側壁部５０Ｌ，５０Ｒにおける側壁面の後端縁にわたって形成されている。
【００４３】
切り欠き溝部５７Ｌ，５７Ｒのうち、左側の側壁部５０Ｌに形成された切り欠き溝部５７Ｌは、軸支部材６２による切断駆動軸６０の軸支箇所から前記側壁面の後端縁に至る延設範囲において、側面視で中間位置が低くなる略Ｖ字状に形成されている。つまり、切り欠き溝部５７Ｌには、軸支部材６２による切断駆動軸６０の軸支箇所を起点として、その軸支箇所から離れるほど下降する下り傾斜経路部分５７Ｌａと、下り傾斜経路部分５７Ｌａから側壁面の端縁に近づくほど上昇する上り傾斜経路部分５７Ｌｂとが備えられている。
この切り欠き溝部５７Ｌの上下方向幅は、切断駆動軸６０の軸径よりも少し大きい幅に形成されており、切り欠き溝部５７Ｌ内で切断駆動軸６０を溝長さ方向に沿ってスライド移動可能に構成されている。
【００４４】
右側の側壁部５０Ｒに形成された切り欠き溝部５７Ｒは、図７に示されるように、左側の切り欠き溝部５７Ｌとは異なる形状に形成されている。
つまり、右側の側壁部５０Ｒに形成された切り欠き溝部５７Ｒには、軸支部材６２による切断駆動軸６０の軸支箇所を起点として、その軸支箇所から離れるほど下降する下り傾斜経路部分５７Ｒａが、切り欠き溝部５７Ｒの長さ方向の中間部位置まで延設されている。
そして、その下り傾斜経路部分５７Ｒａに引き続いて側壁面の端縁に近づく側に延設された部位が、水平方向に沿う幅広の水平経路部分５７Ｒｂとが備えられている。
この切り欠き溝部５７Ｒの上下方向幅は、下り傾斜経路部分５７Ｒａでは切断駆動軸６０の軸径よりも少し大きい幅に形成され、水平経路部分５７Ｒｂではさらに大きい幅に形成されている。
【００４５】
上記の切り欠き溝部５７Ｌ，５７Ｒは、左右の側壁部５０Ｌ，５０Ｒの側壁面の端縁で後方側に開放されて、端部開口を有した構造となっている。そして、この切り欠き溝部５７Ｌ，５７Ｒの延長方向である後方側には、前述した後部カバー部材５１が設けられ、切り欠き溝部５７Ｌ，５７Ｒの端部開口を閉塞可能であるように構成されている。
この後部カバー部材５１は、前述したように下部揺動軸心ｘ１の回りで揺動開閉可能に構成されている。したがって、図６に実線で示すように、後部カバー部材５１を下部揺動軸心ｘ１の上側に起立した姿勢とすることで、後部カバー部材５１が切り欠き溝部５７Ｌ，５７Ｒの延長方向と交差する方向に沿い、切り欠き溝部５７Ｌ，５７Ｒの端部開口を閉塞した状態となる。
後部カバー部材５１を、下部揺動軸心ｘ１の回りで後方回動させて図５に示すように垂れ下がり姿勢とすることで、切り欠き溝部５７Ｌ，５７Ｒの端部開口は開放された状態となる。
【００４６】
〔規制部材について〕
後部カバー部材５１には、切り欠き溝部５７Ｌ，５７Ｒ内に位置する切断駆動軸６０の移動を規制する規制部材５８が取り付けられている。
この規制部材５８は、図４乃至図７に示すように、起立姿勢の後部カバー部材５１と、切断駆動軸６０の軸支部材６２との間で、カッターケース５０内に位置する板状連結部５８ａを備えている。その板状連結部５８ａの前端縁側には、切断駆動軸６０の軸支部材６２の外周面に沿う状態で当接する円弧状の当接面５８ｂが形成されている。
また、板状連結部５８ａの後端縁側には、後部カバー部材５１に当て付けた状態でボルト連結される連結片５８ｃが備えられている。
【００４７】
板状連結部５８ａは、切り欠き溝部５７Ｌ（又は５７Ｒ）を跨いで、左右の側壁部５０Ｌ，５０Ｒの側壁面に、ボルト連結具５９を用いて着脱可能に構成されている。したがって、この板状連結部５８ａとボルト連結具５９を介して、切り欠き溝部５７Ｌ（又は５７Ｒ）の上下の側壁部５０Ｌ（又は５０Ｒ）同士を連結すると、上下の側壁部５０Ｌ（又は５０Ｒ）が板状連結部５８ａで一体化されて補強される。
この連結状態では、切断駆動軸６０が切り欠き溝部５７Ｌ（又は５７Ｒ）の内部を移動することも、軸支部材６２に当接する板状連結部５８ａが存在することによって阻止される。
【００４８】
上記のように、規制部材５８は、左右の側壁部５０Ｌ，５０Ｒに連結されることにより、軸支部材６２が取り付けられる箇所近くで切り欠き溝部５７Ｌ，５７Ｒを備える側壁部５０Ｌ，５０Ｒの補強を行うことができるものである。そして、図４に示すように、カッターケース５０から駆動カッター部６Ａを取り外す場合には、左右の側壁部５０Ｌ，５０Ｒに対するボルト連結具５９による連結を解除して、後部カバー部材５１を下部揺動軸心ｘ１の回りで後方側へ揺動させることにより、切り欠き溝部５７Ｌ，５７Ｒの端部開口を開放させて駆動カッター部６Ａを取り外すことができる。
【００４９】
ボルト連結具５９は、規制部材５８の板状連結部５８ａにおいて、左右の側壁部５０Ｌ，５０Ｒの側壁面に対向する側とは反対側の面に溶接固定された止めナットと、左右の側壁部５０Ｌ，５０Ｒの外側から操作可能な連結ボルトとの組み合わせで構成され、カッターケース５０の外側から、連結及び連結解除可能に構成されている。
左右の側壁部５０Ｌ，５０Ｒに対する軸支部材６２の連結及び連結解除も、カッターケース５０の外側から行えるように構成されているが、左右の側壁部５０Ｌ，５０Ｒに対するボルト連結具５９の連結及び連結解除とは別に行われる。
【００５０】
〔別実施形態〕
（１）上記した実施形態では、切断駆動軸６０の軸支箇所から左右の側壁部５０Ｌ，５０Ｒの側壁面の端縁にわたって切り欠き溝部５７Ｌ，５７Ｒを形成したが、この構造に限られるものではない。
例えば、受刃回転軸６１の軸支箇所から左右の側壁部５０Ｌ，５０Ｒの側壁面の端縁にわたって切り欠き溝部５７Ｌ，５７Ｒを形成してもよい。この場合、切断駆動軸６０の軸支箇所から形成される切り欠き溝部５７Ｌ，５７Ｒと、受刃回転軸６１の軸支箇所から形成される切り欠き溝部５７Ｌ，５７Ｒとを、別々に形成してもよいし、共通の切り欠き溝部５７Ｌ，５７Ｒに切断駆動軸６０と受刃回転軸６１とが所定間隔を隔てて挿通された構造のものであってもよい。
その他の構成は、前述した実施形態と同様の構成を採用すればよい。
【００５１】
（２）上記した実施形態では、切り欠き溝部５７Ｌ，５７Ｒの延長方向と交差する方向に、後部カバー部材５１が存在する構造のものを例示したが、この構造に限られるものではない。
例えば、切り欠き溝部５７Ｌ，５７Ｒの延長方向と交差する方向には、後部カバー部材５１に相当するようなものがなく、単に、カッターケース５０の後壁部に、切断駆動軸６０や受刃回転軸６１の通過を許す切り欠きや、その切断駆動軸６０に備えた切断刃６０ａや受刃回転軸６１に備えた受刃６１ａが通過することを許すスリット等が形成されたものであってもよい。
その他の構成は、前述した実施形態と同様の構成を採用すればよい。
【００５２】
（３）上記した実施形態では、切り欠き溝部５７Ｌ，５７Ｒの延長方向と交差する方向に、カッターケース５０の下端側に相当する位置で、水平方向に沿う下部揺動軸心ｘ１の回りで揺動開閉可能に構成された後部カバー部材５１が存在する構造のものを例示したが、この構造に限られるものではない。
例えば、後部カバー部材５１として、カッターケース５０の上端側に相当する高い位置に、水平方向に沿う揺動軸心の回りで揺動開閉可能に構成された後部カバー部材５１が存在する構造のものや、水平方向に沿う揺動軸心ではなく、上下方向に沿う縦軸心回りで揺動開閉可能に構成された後部カバー部材５１が存在する構造のものであってもよい。
また、後部カバー部材５１として、揺動開閉可能に構成されたものに限らず、カッターケース５０の一部として脱着可能に構成されたものであってもよい。
その他の構成は、前述した実施形態と同様の構成を採用すればよい。
【００５３】
（４）上記した実施形態では、切り欠き溝部５７Ｌ，５７Ｒの延長方向と交差する方向に、カッターケース５０の下端側に相当する位置で、水平方向に沿う下部揺動軸心ｘ１の回りで揺動開閉可能に構成された後部カバー部材５１が存在する構造のものを例示したが、この構造に限られるものではない。
例えば、切り欠き溝部５７Ｌ，５７Ｒが前後方向ではなく、上方側もしくは下方側に向けて延設された構造にものであってもよい。
その他の構成は、前述した実施形態と同様の構成を採用すればよい。
【００５４】
（５）上記した実施形態では、規制部材５８を後部カバー部材５１に取り付けて、後部カバー部材５１とともに揺動作動するように構成した構造のものを示したが、この構造に限られるものではない。
例えば、規制部材５８を左右の側壁部５０Ｌ，５０Ｒに着脱可能に取り付けて、後部カバー部材５１には連結されていない構造のものでもよい。あるいは、規制部材５８を左右の側壁部５０Ｌ，５０Ｒに対しても、後部カバー部材５１に対しても着脱可能に構成したものであっても良い。さらには、このような規制部材５８を備えていない構造のものであっても差し支えない。
その他の構成は、前述した実施形態と同様の構成を採用すればよい。
【００５５】
（６）上記した実施例では、軸支部材６２をカッターケース５０の内側に取り付けた構造のものを例示したが、これに限らず。軸支部材６２をカッターケース５０の外側に設けてもよい。この場合には、規制部材５８も側壁部５０Ｌ，５０Ｒの外側に設ければよい。
その他の構成は、前述した実施形態と同様の構成を採用すればよい。
【００５６】
（７）上記した実施例では、切り欠き溝部５７Ｌ，５７Ｒの溝形状を左右で異ならせた構造のものを例示したが、これに限らず、左右の切り欠き溝部５７Ｌ，５７Ｒを同形状にして、左右対称に設けてもよい。
その他の構成は、前述した実施形態と同様の構成を採用すればよい。
【産業上の利用可能性】
【００５７】
本発明は、自脱型コンバインの排ワラ切断装置の他、定置型の脱穀装置に連結される排ワラ切断装置にも利用できる。
【符号の説明】
【００５８】
３                脱穀装置
６Ａ              駆動カッター部
６Ｂ              受刃カッター部
５０              カッターケース
５０Ｌ，５０Ｒ    側壁部
５１              後壁部（後部カバー部材）
５７Ｌ，５７Ｒ    切り欠き溝部
５７Ｌａ          下り傾斜経路部分
５７Ｌｂ          上り傾斜経路部分
５８              規制部材
６０              切断駆動軸
６０ａ            切断刃
６１              受刃回転軸
６１ａ            受刃
６２              軸支部材
【図１】
2018099069.tif 000003
【図２】
2018099069.tif 000004
【図３】
2018099069.tif 000005
【図４】
2018099069.tif 000006
【図５】
2018099069.tif 000007
【図６】
2018099069.tif 000008
【図７】
2018099069.tif 000009